(57)【要約】【課題】個人情報を表示する表示機器における情報の表示の仕方を工夫すること。【解決手段】例えば、表示機器１は、個人情報が表示可能である。表示機器１は、外部装置５０Ａ，５０Ｂ，５０Ｃからエリア情報を受信可能な通信部を有する。表示機器１は、個人情報を表示している状態において、外部装置５０Ａ，５０Ｂ，５０Ｃのいずれかからエリア情報を受信したことに応じて、当該個人情報の少なくとも一部を、他の情報の表示に切り替える。【選択図】図１
2019132955.tif 000002
【特許請求の範囲】
【請求項１】
個人情報を表示可能な表示機器であって、
外部装置からエリア情報を受信可能な通信部を有し、
前記個人情報を表示している状態において、前記エリア情報を受信したことに応じて、当該個人情報の少なくとも一部を、他の情報の表示に切り替える
表示機器。
【請求項２】
前記エリア情報は、入場情報または退場情報を含み、
前記外部装置から前記入場情報および前記退場情報のうちの一方を受信してから、前記入場情報および前記退場情報のうちの他方を受信するまでの間は、前記他の情報の表示を継続する
請求項１に記載の表示機器。
【請求項３】
落下を検出する検出部をさらに有し、
落下を検出した場合、表示している情報を、ユーザの連絡先とは異なる連絡先を示す情報に切り替える
請求項１または２に記載の表示機器。
【請求項４】
前記個人情報を表示している状態において、前記エリア情報を受信したことに応じて、当該個人情報の少なくとも一部を、他の情報の表示に切り替え、
ユーザの食事の時間またはエリアを検出すると、当該ユーザのアレルギーに関する情報を表示する
請求項１に記載の表示機器。
【請求項５】
前記個人情報を表示している状態において、前記エリア情報を受信したことに応じて、当該個人情報の少なくとも一部を、他の情報の表示に切り替え、
前記他の情報として、それぞれ時間情報に応じて切り替わる第１情報と第２情報と、を表示可能である
請求項１に記載の表示機器。
【請求項６】
請求項１から５のいずれか１項に記載の表示機器と、
エリア情報を前記表示機器に送信する外部装置と、
を有する、表示システム。
【請求項７】
第１通信装置をさらに有し
前記表示機器は、
前記エリア情報を受信すると、前記第１通信装置に所定の情報を送信する
請求項６に記載の表示システム。
【請求項８】
前記表示機器は、前記第１通信装置に所定の情報を送信した後、前記外部装置から前記第１通信装置への通知を実行させる
請求項７に記載の表示システム。
【請求項９】
前記表示機器は、前記他の情報を表示した後、前記外部装置から前記第１通信装置への通知を実行させる
請求項７に記載の表示システム。
【請求項１０】
前記表示機器は、電子名札である
請求項６から９のいずれか１項に記載の表示システム。
【請求項１１】
個人情報を表示可能な表示機器であって、
外部装置から情報を受信可能な近距離無線通信部を有し、
外部装置からエリア情報を受信したことに応じて、当該エリア情報に応じた第１画像を、当該エリア情報を受信してから次のエリア情報を受信するまで継続して表示し、当該次のエリア情報を受信すると、前記第１画像の表示から、当該次のエリア情報に応じた第２画像の表示に切り替える
表示機器。
【請求項１２】
前記エリア情報は、入退情報および退出情報を含まない情報である
請求項１１に記載の表示機器。
【請求項１３】
請求項１１または１２に記載の表示機器と、
エリア情報を前記表示機器に送信する外部装置と、
を有する、表示システム。
【発明の詳細な説明】
【技術分野】
【０００１】
本出願は、表示機器および表示システムに関する。
【背景技術】
【０００２】
従来、表示機器には、ユーザが入退場ゲートから退場するときに、リーダライタとの間で通信を確立して、表示体における個人情報の表示を停止する電子名札がある（特許文献１参照）。
【先行技術文献】
【特許文献】
【０００３】
【特許文献１】特開２０１７−５８８２８号公報
【発明の概要】
【発明が解決しようとする課題】
【０００４】
従来の個人情報を表示する表示機器は、情報の表示の仕方に工夫の余地があった。
【課題を解決するための手段】
【０００５】
態様の１つに係る表示機器は、個人情報を表示可能な表示機器であって、外部装置からエリア情報を受信可能な通信部を有し、前記個人情報を表示している状態において、前記エリア情報を受信したことに応じて、当該個人情報の少なくとも一部を、他の情報の表示に切り替える。
【０００６】
態様の１つに係る表示機器は、個人情報を表示可能な表示機器であって、外部装置から情報を受信可能な近距離無線通信部を有し、外部装置からエリア情報を受信したことに応じて、当該エリア情報に応じた第１画像を、当該エリア情報を受信してから次のエリア情報を受信するまで継続して表示し、当該次のエリア情報を受信すると、第１画像の表示から、当該次のエリア情報に応じた第２画像の表示に切り替える。
【０００７】
態様の１つに係る表示システムは、上記の表示機器と、エリア情報を前記表示機器に送信する外部装置と、を有する。
【図面の簡単な説明】
【０００８】
【図１】図１は、実施形態に係る表示システムの一例を示す図である。
【図２】図２は、表示システムにおける表示機器の表示切り替えの一例を示す図である。
【図３】図３は、表示機器の機能構成の一例を示すブロック図である。
【図４】図４は、画像データの一例を示す図である。
【図５】図５は、外部装置の機能構成の一例を示すブロック図である。
【図６】図６は、第１通信装置の機能構成の一例を示すブロック図である。
【図７】図７は、表示機器による制御の一例の処理手順を示すフローチャートである。
【図８】図８は、表示システムにおける表示機器の表示切り替えの他の一例を示す図である。
【図９】図９は、表示機器による制御の他の一例の処理手順を示すフローチャートである。
【図１０】図１０は、表示システムにおける表示機器の表示切り替えの他の一例を示す図である。
【図１１】図１１は、表示機器による制御の他の一例の処理手順を示すフローチャートである。
【図１２】図１２は、本実施形態に係る表示システムの他の動作を示すシーケンス図である。
【図１３】図１３は、本実施形態に係る表示システムの他の動作を示すシーケンス図である。
【図１４】図１４は、本実施形態に係る表示システムの他の動作を示すシーケンス図である。
【発明を実施するための形態】
【０００９】
本出願に係る表示機器および表示システムを実施するための複数の実施形態を、図面を参照しつつ詳細に説明する。以下では、児童が携帯する表示機器を備える表示システムの一例について説明する。以下の説明において、同様の構成要素について同一の符号を付すことがある。さらに、重複する説明は省略することがある。
【００１０】
図１は、実施形態に係る表示システムの一例を示す図である。図１に示すように、表示システム１００は、表示機器１と、外部装置５０Ａ，５０Ｂ，５０Ｃと、第１通信装置８０と、を備える。表示機器１と第１通信装置８０とは、通信ネットワーク７０を介して相互に通信できる。通信ネットワーク７０は、有線または無線のネットワークを含む。外部装置５０Ａ，５０Ｂ，５０Ｃと第１通信装置８０とは、通信ネットワーク７０を介して相互に通信できる。表示機器１と、外部装置５０Ａ，５０Ｂ，５０Ｃとは、接近した場合に、近距離無線通信によって通信できる。
【００１１】
表示機器１は、例えば、児童によって携帯される携帯電子機器である。外部装置５０Ａ，５０Ｂ，５０Ｃは、例えば、学校、公共施設、道路、病院等に配置された通信装置を含む。第１通信装置８０は、例えば、児童の保護者によって携帯される携帯電子機器を含む。以下では、外部装置５０Ａ，５０Ｂ，５０Ｃを、どの外部装置であるかを特定することなく、外部装置５０と総称することがある。
【００１２】
表示機器１は、例えば、児童によって携帯される電子名札を含む。表示機器１は、他人から視認可能に装着するための装着部材を有する。装着部材は、例えば、クリップ、ピン、ストラップ等を含む。本実施形態では、表示機器１は、電子名札である場合について説明するが、これに限定されない。表示機器１は、例えば、スマートウォッチ、モバイルフォン、スマートフォン、ヘッドマウントディスプレイ、デジタルカメラ、及びゲーム機を含む。以下の説明において、表示機器１を「自機」と表記する場合がある。
【００１３】
表示機器１は、表示部２を有する。表示部２は、例えば、表示機器１の表面を形成している。表示部２は、個人情報を表示する。個人情報は、例えば、表示機器１を所持するユーザの個人に関する情報を含む。個人情報は、例えば、個人を識別する情報を含む。図１に示す一例では、表示機器１は、氏名、学校名及びクラスを含むユーザの個人情報を表示できる。個人情報は、保護する必要がある情報を含んでもよい。表示機器１は、個人情報の少なくとも一部を他の情報の表示に切り替えることができる。他の情報は、個人情報とは異なる非個人情報である。他の情報は、例えば、入退場後のエリア、日時、時間帯等に対応した情報を含む。
【００１４】
外部装置５０Ａ，５０Ｂ，５０Ｃは、所定のエリアまたは所定のエリアの近傍に設けられている。所定のエリアは、例えば、学校の敷地、学校の図書室、道路、駅、施設等のエリアを含む。図１に示す一例では、外部装置５０Ａは、学校のエリアＥ１に設けられている。外部装置５０Ｂは、学校の図書室のエリアＥ２に設けられている。エリアＥ２は、エリアＥ１内の一部のエリアである。外部装置５０Ｃは、学校外のエリアＥ３に設けられている。学校外のエリアＥ３は、例えば、学校から児童の家までの間に複数設けてもよい。
【００１５】
外部装置５０Ａ，５０Ｂ，５０Ｃは、エリアの内部及び近傍の不特定多数の電子機器に電波を送出できる。外部装置５０Ａ，５０Ｂ，５０Ｃは、エリア情報を含む電波を送出できる。エリア情報は、例えば、エリアを識別可能な情報を含む。エリア情報は、例えば、外部装置５０Ａ，５０Ｂ，５０Ｃが設けられたエリアを識別可能な情報を含む。エリア情報は、例えば、エリアの位置を示す情報を含んでもよい。エリア情報は、入場情報または退場情報を含んでもよい。入場情報は、エリアへ入場することを示す情報を含む。退場情報は、エリアから退場することを示す情報を含む。エリア情報は、例えば、送信元の外部装置５０を識別するための識別情報であってもよい。また、エリア情報は、外部装置５０から表示機器１に所定の画像を表示させるための指示情報であってもよい。外部装置５０Ａ，５０Ｂ，５０Ｃは、エリアに接近する電子機器に、入場情報を含む電波を送出できる。外部装置５０Ａ，５０Ｂ，５０Ｃは、エリア内から退場する電子機器に、退場情報を含む電波を送出できる。
【００１６】
第１通信装置８０は、例えば、児童の保護者によって携帯される電子機器である。第１通信装置８０は、例えば、児童の所属する学校のクラスの教師によって携帯される電子機器であってもよい。第１通信装置８０は、例えば、表示機器１を管理する機能を有する。第１通信装置８０は、例えば、モバイルフォン、スマートフォン、スマートウォッチ、携帯型パソコン、ヘッドマウントディスプレイ、デジタルカメラ、メディアプレイヤ、電子書籍リーダ、ナビゲータ、及びゲーム機を含む。第１通信装置８０は、例えば、表示機器１、外部装置５０Ａ，５０Ｂ，５０Ｃ等から受信した情報を表示部２Ａに表示する機能を有する。
【００１７】
図２は、表示システム１００における表示機器の表示切り替えの一例を示す図である。図２に示すように、表示機器１は、個人情報を秘匿するとともに、受信したエリア情報に対応した画像を切り替えて表示できる。
【００１８】
図２のステップＳ１に示す一例では、表示機器１は、ユーザの自宅から学校のルートＲを移動している場合、個人情報を秘匿した画像Ｇ１を表示部２に表示する。画像Ｇ１は、例えば、学校外のエリアに対応した画像である。表示機器１は、例えば、学校の外部装置５０Ａから退場情報を受信したことを契機に、画像Ｇ１を表示している。表示機器１は、例えば、学校外のルートＲの外部装置５０Ｃからエリア情報を受信したことを契機に、画像Ｇ１を表示してもよい。この場合のエリア情報は、例えば、上述した送信元の外部装置５０を識別するための識別情報であったり、指示情報であったりしてもよい。本実施形態では、画像Ｇ１は、交通安全の情報を表示する画像とした場合について説明するが、これに限定されない。画像Ｇ１は、例えば、登下校中であることを示す情報を表示する画像としてもよい。
【００１９】
学校に設けられた外部装置５０Ａは、エリアＥ１に近づく表示機器１に対して、入場情報を含むエリア情報を、近距離無線通信によって送出する。外部装置５０Ａが送出するエリア情報は、例えば、エリアが学校であることを示す情報を含んでいる。外部装置５０Ａが送出するエリア情報は、例えば、学校への入場情報であってもよい。外部装置５０Ａが送出するエリア情報は、例えば、エリアが学校であることを示す情報と学校への入場情報との双方を含んでいてもよい。ユーザが学校に到着すると、表示機器１は、外部装置５０Ａからエリア情報を、近距離無線通信によって受信する。
【００２０】
ステップＳ２に示すように、表示機器１は、エリア情報を受信したことに応じて、個人情報を含む画像Ｇ２を表示部２に表示する。画像Ｇ２は、例えば、学校のエリアに対応した画像である。ステップＳ２に示す一例では、画像Ｇ２は、表示機器１のユーザの個人情報である氏名２１、学校名２２及び学年２３の情報を表示する画像とするが、これに限定されない。画像Ｇ２は、氏名２１、学校名２２及び学年２３とは異なる個人情報を表示してもよい。異なる個人情報は、例えば、表示機器１のユーザの健康状態等の情報としてもよい。
【００２１】
学校の図書室に設けられた外部装置５０Ｂは、エリアＥ２に近づく表示機器１に対して、エリア情報を、近距離無線通信によって送出する。外部装置５０Ｂが送出するエリア情報は、例えば、エリアが学校の図書室であることを示す情報を含んでいる。外部装置５０Ｂが送出するエリア情報は、例えば、図書室への入場情報であってもよい。外部装置５０Ｂが送出するエリア情報は、例えば、エリアが図書室であることを示す情報と図書室への入場情報との双方を含んでいてもよい。表示機器１は、図書室に入室すると、外部装置５０Ｂからエリア情報を、近距離無線通信によって受信する。
【００２２】
個人情報を含む画像Ｇ２を表示している状態において、表示機器１は、外部装置５０Ｂからエリア情報を受信すると、ステップＳ３に示すように、当該個人情報の一部を、他の情報の表示に切り替えた画像Ｇ３を表示部２に表示する。画像Ｇ３は、例えば、学校の図書室のエリアに対応した画像である。画像Ｇ３は、エリア内で利用可能な情報を、表示機器１のユーザの個人情報と組み合わせた画像である。
【００２３】
ステップＳ３に示す一例では、表示機器１は、学校の図書室カードとして機能している。画像Ｇ３は、個人情報である氏名２１、名札が機能している機能名称２４、及びＱＲ（Ｑｕｉｃｋ  Ｒｅｓｐｏｎｓｅ）コード（登録商標）２５の情報を表示する画像とするが、これに限定されない。例えば、画像Ｇ３は、ユーザの個人情報を含む情報をＱＲコード（登録商標）、バーコード等で表示する画像としてもよい。
【００２４】
学校の図書室に設けられた外部装置５０Ｂは、エリアＥ２内から退場する表示機器１に対して、例えば退場情報を含むエリア情報を、近距離無線通信によって送出する。表示機器１は、図書室から退場するときに、外部装置５０Ｂから退場情報を含むエリア情報を、近距離無線通信によって受信する。
【００２５】
表示機器１は、画像Ｇ３を表示している状態において、退場情報を含むエリア情報を外部装置５０Ｂから受信すると、図書室の入場時に表示していた画像Ｇ２を表示部２に表示できる。換言すると、表示機器１は、図書室に入場してから退場するまでの間は、画像Ｇ３の表示を継続し、図書室から退場すると、新たに入場したエリアに対応する画像Ｇ２に表示を自動的に切り替える。
【００２６】
表示機器１は、画像Ｇ３を表示している状態において、図書室から退場する場合に、退場情報を含まないエリア情報を外部装置５０Ｂから受信してもよい。この場合、表示機器１は、外部装置５０Ｂから受信したエリア情報によっては、画像Ｇ３からの表示の切り替えは行わない。表示機器１は、図書館から退場した先のエリア、例えば学校のエリアＥ１に設けられた外部装置５０Ａから受信したエリア情報に基づいて、画像Ｇ３の表示から画像Ｇ２の表示へ切り替えてよい。
【００２７】
表示機器１は、画像Ｇ２を表示している状態において、退場情報を含むエリア情報を外部装置５０Ａから受信すると、学校の入場時に表示していた画像Ｇ１を表示部２に表示できる。換言すると、表示機器１は、学校に入場してから退場するまでの間は、画像Ｇ２の表示を継続し、学校から退場すると、学校外に対応する画像Ｇ１に表示を自動的に切り替える。
【００２８】
表示機器１は、画像Ｇ２を表示している状態において、学校から退場する場合に、退場情報を含まないエリア情報を外部装置５０Ａから受信してもよい。この場合、表示機器１は、外部装置５０Ａから受信したエリア情報によっては、画像Ｇ２からの表示の切り替えは行わない。表示機器１は、学校から退場した先のエリア、例えば学校外のエリアＥ３に設けられた外部装置５０Ｃから受信したエリア情報に基づいて、画像Ｇ２の表示から画像Ｇ１の表示へ切り替えてよい。
【００２９】
表示機器１は、個人情報の表示が不要なエリアでは個人情報を隠し、個人情報の表示が必要なエリアで個人情報を表示する。表示機器１は、個人情報を表示している状態において、エリア情報を受信したことに応じて、当該個人情報の一部を、エリアで利用する情報の表示に切り替えることができる。表示機器１は、個人情報を隠した表示状態と、個人情報を隠していない表示状態とを、エリアに応じて切り替えることができる。表示機器１は、エリアに応じて個人情報の秘匿の仕方を変更することで、セキュリティ性を低下させることなく、エリアにおける利便性を向上させることができる。よって、個人情報を表示する表示機器１は、情報の表示の仕方を改善できる。
【００３０】
表示機器１は、ステップＳ１に示したように、個人情報を表示できない学校外のエリアでは、当該エリアで利用できる非個人情報を表示する。その結果、表示機器１は、自機を携帯することの意義をユーザに実感させることができるので、ユーザの携帯率の向上に貢献できる。
【００３１】
表示機器１は、外部装置５０Ｂから入場情報を受信してから退場情報を受信するまでの間は、エリアに対応した情報を含む画像Ｇ３の表示を継続する。その結果、表示機器１は、ユーザによる画像の表示の切り替え操作が不要となるので、利便性を向上させることができる。
【００３２】
また、表示機器１は、例えば外部装置５０Ｂからエリア情報を受信したことに応じて、当該エリア情報に応じた画像Ｇ３を、当該エリア情報を受信してから次のエリア情報を受信するまで継続して表示する。表示機器１は、当該次のエリア情報、例えば外部装置５０Ａから送信されるエリア情報を受信すると、画像Ｇ３の表示から、当該次のエリア情報に応じた画像Ｇ２の表示に切り替えてもよい。これにより、エリアに応じた情報を表示できるので、個人情報を表示する表示機器１は、情報の表示の仕方を改善できる。また、表示機器１は、エリア情報が入退情報および退出情報を含まない情報であってもよく、簡素な構成で、エリアに応じた情報の表示を実現できる。
【００３３】
図３は、表示機器１の機能構成の一例を示すブロック図である。図３に示すように、表示機器１は、表示部２と、通信部６と、記憶部９と、制御部１０と、センサ部１５とを有する。
【００３４】
表示部２は、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）、電子ペーパ、ポリマーネットワーク液晶等の表示パネルを有する。電子ペーパは、例えば、電気泳動方式、コレステリック液晶等の電子ペーパを含む。表示部２は、制御部１０から入力される信号に応じて、文字、図形、画像等の情報を表示する。表示部２が表示する情報には、上記の画像Ｇ１，Ｇ２，Ｇ３等が含まれる。本実施形態では、表示部２は、電子ペーパである場合について説明する。
【００３５】
通信部６は、無線により通信できる。通信部６は、無線通信規格をサポートする。通信部６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１（ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．の略称である）、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｚ−Ｗａｖｅ、ＷｉＳｕｎ（Ｗｉｒｅｌｅｓｓ  Ｓｍａｒｔ  Ｕｔｉｌｉｔｙ  Ｎｅｔｗｏｒｋ）が含まれる。通信部６は、上述した通信規格の１つ又は複数をサポートしていてもよい。
【００３６】
通信部６は、例えば、外部装置５０との通信を可能とするための複数の通信規格をさらにサポートする。通信規格は、例えば、双方向通信を可能とするＤＳＲＣ（Ｄｅｄｉｃａｔｅｄ  Ｓｈｏｒｔ  Ｒａｎｇｅ  Ｃｏｍｍｕｎｉｃａｔｉｏｎ）を含む。実施形態の１つの例において、通信部６は、外部装置５０の通信可能エリア内において、当該外部装置５０が発信した電波を受信できる。通信部６は、例えば、外部装置５０で受信可能な電波を発信できる。
【００３７】
通信部６は、ＧＰＳ（Ｇｌｏｂａｌ  Ｐｏｓｉｔｉｏｎｉｎｇ  Ｓｙｓｔｅｍ）衛星からの所定の周波数帯の電波信号を受信し、受信した電波信号の復調処理を行って、処理後の信号を制御部１０へ入力する機能を有していてもよい。通信部６は、ＧＰＳ衛星以外の測位衛星からの所定の周波数帯の電波信号を受信し、受信した電波信号の復調処理を行って、処理後の信号を制御部１０へ入力してもよい。通信部６は、複数種類の測位衛星からの所定の周波数帯の電波信号を受信し、受信した電波信号の復調処理を行って、処理後の信号を制御部１０へ入力してもよい。表示機器１は、測位衛星との通信機能を通信部６から分散させて、通信部６から独立した個別の通信部を設けてもよい。
【００３８】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３９】
記憶部９は、例えば、制御プログラム９Ａ、画像データ９Ｂ、及び設定データ９Ｃを記憶する。制御プログラム９Ａは、表示機器１を稼動させるための各種制御に関する機能を提供できる。画像データ９Ｂは、エリアに対応した画像の情報を含む。画像データ９Ｂの一例については、後述する。設定データ９Ｃは、表示機器１の動作に関する各種の設定に関する情報を含む。設定データ９Ｃは、例えば、ユーザの連絡先、当該連絡先とは異なる紛失時の連絡先等を示す情報を含む。設定データ９Ｃは、例えば、自機の落下と判定するための判定条件のデータを含む。
【００４０】
制御プログラム９Ａは、例えば、通信部６を制御することによって、外部装置５０、第１通信装置８０等の電子機器との通信を実現させる。制御プログラム９Ａが提供する機能は、表示部２の表示を制御する機能を含む。制御プログラム９Ａが提供する機能は、自機の落下を検出する機能を含む。
【００４１】
制御部１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部１０は、表示機器１の動作を統括的に制御して各種の機能を実現する。
【００４２】
具体的には、制御部１０は、記憶部９に記憶されているデータを必要に応じて参照しつつ、記憶部９に記憶されているプログラムに含まれる命令を実行する。そして、制御部１０は、データ及び命令に応じて機能部を制御し、それによって各種機能を実現する。機能部は、例えば、表示部２、通信部６、及びセンサ部１５を含むが、これらに限定されない。制御部１０は、検出部の検出結果に応じて、制御を変更することがある。検出部は、例えば、通信部６を含むが、これらに限定されない。
【００４３】
制御部１０は、制御プログラム９Ａを実行することにより、図２に示した表示の切り替え方法を実現する。
【００４４】
センサ部１５は、複数のセンサを含む。例えば、複数のセンサは、加速度センサ、方位センサ、ジャイロセンサ等のセンサを含む。加速度センサは、自機に働く加速度の方向及び大きさを検出できる。方位センサは、地磁気の向きを検出できる。ジャイロセンサは、自機の角度及び角速度を検出できる。センサ部１５は、検出結果を制御部１０へ入力する。センサ部１５の検出結果は、自機の落下を検出するために、組み合わせて利用してもよい。
【００４５】
図４は、画像データ９Ｂの一例を示す図である。画像データ９Ｂは、エリア情報と画像とを紐付けるデータである。図４に示すように、画像データ９Ｂは、エリア情報と、画像との項目を含む。エリア情報の項目には、例えば、学校外、学校、及び学校の図書館の情報が設定されている。学校外のエリア情報に対応した画像の項目には、例えば、画像Ｇ１が設定されている。画像Ｇ１は、非個人情報を示す情報を含む。学校のエリア情報に対応した画像の項目には、例えば、画像Ｇ２が設定される。画像Ｇ２は、例えば、個人情報を示す情報を含む。学校の図書室のエリア情報に対応した画像の項目には、例えば、画像Ｇ３が設定されている。画像Ｇ３は、個人情報とエリアに対応した情報とを含む。
【００４６】
表示機器１は、画像データ９Ｂの画像の情報を変更することができる。例えば、表示機器１は、通信部６を介して変更情報を受信した場合、当該変更情報に基づいて、画像データ９Ｂの画像の情報を変更できる。例えば、ユーザが児童である場合、表示機器１は、ユーザの進級時、進学時等に、画像データ９Ｂの画像の学年等の情報を更新してもよい。表示機器１は、教師によって携帯される電子機器から受信する情報に基づいて画像データ９Ｂの画像の情報を変更してもよい。生徒の各々が所有する表示機器１毎に表示可能な画像の内容、種類等が、教師によって携帯される電子機器によって、一元管理されてもよい。
【００４７】
本実施形態では、表示機器１は、エリア情報に対応した画像を記憶部９に記憶しておく場合について説明するが、これに限定されない。例えば、表示機器１は、受信したエリア情報に基づいて表示する情報を特定し、特定した情報を含む画像を作成してもよい。
【００４８】
図５は、外部装置５０Ａ，５０Ｂ，５０Ｃの機能構成の一例を示すブロック図である。図５に示すように、外部装置５０Ａ，５０Ｂ，５０Ｃは、通信部２０１と、制御部２０２と、記憶部２０３とを有する。
【００４９】
通信部２０１は、無線により通信する。通信部２０１によってサポートされる通信方式は、無線通信規格である。無線通信規格として、例えば、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１(ａ,ｂ,ｎ,ｐを含む)、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。無線通信規格として、例えば、さらに、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。通信部２０１は、上述した通信規格の１つ又は複数をサポートしていてもよい。通信部２０１は、有線による通信をサポートしてもよい。有線による通信は、例えば、イーサネット（登録商標）、ファイバーチャネル等を含む。通信部２０１は、他の外部装置、サーバ等と通信を行うことができる。
【００５０】
通信部２０１は、例えば、表示機器１との通信を可能とするための複数の通信規格をさらにサポートする。通信規格は、例えば、双方向通信を可能とするＤＳＲＣを含む。実施形態の１つの例において、通信部２０１は、通信エリア内に電波を送出できる。通信部２０１は、例えば、表示機器１等から送出された電波を受信できる。
【００５１】
制御部２０２は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部２０２は、外部装置５０の動作を統括的に制御して各種の機能を実現する。
【００５２】
具体的には、制御部２０２は、記憶部２０３に記憶されているデータを必要に応じて参照しつつ、記憶部２０３に記憶されているプログラムに含まれる命令を実行する。そして、制御部２０２は、データ及び命令に応じて機能部を制御し、それによって各種機能を実現する。
【００５３】
記憶部２０３は、プログラム及びデータを記憶する。記憶部２０３は、制御部２０２の処理結果を一時的に記憶する作業領域としても利用される。記憶部２０３は、半導体記憶媒体、及び磁気記憶媒体等の任意の非一過的（ｎｏｎ−ｔｒａｎｓｉｔｏｒｙ）な記憶媒体を含んでよい。記憶部２０３は、複数の種類の記憶媒体を含んでよい。記憶部２０３は、メモリカード、光ディスク、又は光磁気ディスク等の可搬の記憶媒体と、記憶媒体の読み取り装置との組み合わせを含んでよい。記憶部２０３は、ＲＡＭ（Ｒａｎｄｏｍ  Ａｃｃｅｓｓ  Ｍｅｍｏｒｙ）等の一時的な記憶領域として利用される記憶デバイスを含んでよい。
【００５４】
記憶部２０３は、例えば、制御プログラム２０３ａ及び設定データ２０３ｂを記憶する。制御プログラム２０３ａは、外部装置５０を稼動させるための各種制御に関する機能を提供できる。制御プログラム２０３ａは、例えば、通信部２０１を制御することによって、表示機器１との通信を実現させる。制御プログラム２０３ａが提供する機能は、通信エリア内にある表示機器１との通信確立処理及びデータの送受信を制御する機能を含む。設定データ２０３ｂは、外部装置５０の識別番号、外部装置５０が設置された位置等の情報を含む。
【００５５】
制御プログラム２０３ａは、外部装置５０へ接近する表示機器１等に電波を送出する機能を提供できる。例えば、電波は、エリア情報を含む。制御プログラム２０３ａは、外部装置５０が設けられたエリアに入場する表示機器１に対し、入場情報を含むエリア情報を送出する機能を提供できる。制御プログラム２０３ａは、外部装置５０が設けられたエリアから退場しようとしている表示機器１に対し、退場情報を含むエリア情報を送出する機能を提供できる。制御プログラム２０３ａは、表示機器１等から受信した情報を、指定された電子機器に転送する機能を提供できる。
【００５６】
制御部２０２は、制御プログラム２０３ａを実行することにより、図２に示した外部装置５０の動作を実現する。
【００５７】
図６は、第１通信装置８０の機能構成の一例を示すブロック図である。図６に示すように、第１通信装置８０は、表示部２Ａと、操作部３と、通信部６と、レシーバ７と、マイク８と、記憶部９と、制御部１０と、スピーカ１１と、センサ部１５とを有する。
【００５８】
表示部２Ａは、液晶ディスプレイ、有機ＥＬディスプレイ等の表示パネルを有する。表示部２Ａは、制御部１０から入力される信号に応じて、文字、図形、画像等の情報を表示する。表示部２Ａが表示する情報には、報知のための画像、アイコン等が含まれる。
【００５９】
操作部３は、ユーザの操作を受け付けるための１ないし複数のデバイスを有する。ユーザの操作を受け付けるためのデバイスは、例えば、キー、ボタン、タッチスクリーン等を含む。操作部３は、受け付けた操作に応じた信号を制御部１０へ入力する。
【００６０】
レシーバ７及びスピーカ１１は、音出力部である。レシーバ７及びスピーカ１１は、制御部１０から入力される音信号を音として出力する。マイク８は、音入力部である。マイク８は、利用者の音声等を音信号へ変換して制御部１０へ入力する。
【００６１】
記憶部９は、例えば、制御プログラム９１を記憶する。制御プログラム９１は、第１通信装置８０を稼動させるための各種制御に関する機能を提供できる。制御プログラム９１は、例えば、通信部６を制御することによって、表示機器１、外部装置５０等の電子機器との通信を実現させる。制御プログラム９１が提供する機能は、通信部６を制御することにより、表示機器１が送信した所定の情報をユーザに通知する機能を含む。制御プログラム９１が提供する機能は、通信部６を制御することにより、外部装置５０が送信した情報をユーザに通知する機能を含む。
【００６２】
制御部１０は、制御プログラム９１を実行することにより、図１に示した第１通信装置８０の動作を実現する。
【００６３】
図７は、表示機器１による制御の一例の処理手順を示すフローチャートである。図７に示す処理手順は、表示機器１の制御部１０が制御プログラム９Ａを実行することによって実現される。図７に示す処理手順は、制御部１０によって繰り返し実行される。
【００６４】
図７に示すように、表示機器１の制御部１０は、通信部６を介して、エリア情報を受信したか否かを判別する（ステップＳ１０１）。例えば、制御部１０は、外部装置５０からエリア情報を含む電波信号を受信した場合に、エリア情報を受信したと判定する。制御部１０は、エリア情報を受信していないと判定した場合（ステップＳ１０１でＮｏ）、図７に示す処理手順を終了させる。制御部１０は、エリア情報を受信したと判定した場合（ステップＳ１０１でＹｅｓ）、処理をステップＳ１０２に進める。
【００６５】
制御部１０は、エリアは学校であるか否かを判定する（ステップＳ１０２）。例えば、制御部１０は、受信したエリア情報が学校のエリアを示している場合、エリアは学校であると判定する。
【００６６】
制御部１０は、エリアは学校ではないと判定した場合（ステップＳ１０２でＮｏ）、エリアは学校外であるので、処理をステップＳ１０３に進める。制御部１０は、画像データ９Ｂから学校外に対応した画像Ｇ１を取得する（ステップＳ１０３）。制御部１０は、取得した画像Ｇ１を表示部２に表示させる（ステップＳ１０４）。その結果、表示部２は、表示していた画像の表示を終了し、画像Ｇ１の表示を開始する。制御部１０は、画像Ｇ１を表示させると、図７に示す処理手順を終了させる。
【００６７】
制御部１０は、エリアは学校であると判定した場合（ステップＳ１０２でＹｅｓ）、エリアは学校であるので、処理をステップＳ１０５に進める。制御部１０は、受信しているエリア情報に基づいて、エリアが学校の図書室であるか否かを判定する（ステップＳ１０５）。例えば、制御部１０は、エリア情報が学校の図書室を示している場合に、エリアが学校の図書室であると判定する。
【００６８】
制御部１０は、エリアが学校の図書室ではないと判定した場合（ステップＳ１０５でＮｏ）、エリアは学校内であるので、処理をステップＳ１０６に進める。制御部１０は、画像データ９Ｂから学校内に対応した画像Ｇ２を取得する（ステップＳ１０６）。制御部１０は、取得した画像Ｇ２を表示部２に表示させる（ステップＳ１０７）。その結果、表示部２は、表示していた画像の表示を終了し、画像Ｇ２の表示を開始する。制御部１０は、画像Ｇ２を表示させると、図７に示す処理手順を終了させる。
【００６９】
制御部１０は、エリアが学校の図書室であると判定した場合（ステップＳ１０５でＹｅｓ）、エリアは学校の図書室であるので、処理をステップＳ１０８に進める。制御部１０は、画像データ９Ｂから学校の図書室に対応した画像Ｇ３を取得する（ステップＳ１０８）。制御部１０は、取得した画像Ｇ３を表示部２に表示させる（ステップＳ１０９）。その結果、表示部２は、表示していた画像の表示を終了し、画像Ｇ３の表示を開始する。制御部１０は、画像Ｇ３を表示させると、図７に示す処理手順を終了させる。
【００７０】
本実施形態では、表示機器１は、エリアに対応した画像を画像データ９Ｂから取得する場合について説明するが、これに限定されない。例えば、表示機器１は、エリアに対応した画像、情報等を、当該エリアの外部装置５０や予め定められたサーバ等から取得してもよい。
【００７１】
図８は、表示システム１００における表示機器１の表示切り替えの他の一例を示す図である。図８のステップＳ１１に示す一例では、表示機器１は、学校外のエリアで、非個人情報である交通安全を示す画像Ｇ１を表示部２に表示している。表示機器１は、学校外のエリアで、落とされている。表示機器１のユーザは、画像Ｇ１を表示した表示機器１を落としたことに、気付いていない。
【００７２】
表示機器１は、センサ部１５の検出結果と設定データ９Ｃの判定条件とを比較し、検出結果が判定条件を満たした場合に、自機の落下を検出する。例えば、表示機器１は、加速度の変化パターンが落下のパターンと一致した場合に、自機の落下を検出する。例えば、表示機器１は、通信部６を介して受信した位置情報に基づいて、自機の位置情報が変わらずに、一定時間が経過した場合に、自機の落下を検出してもよい。
【００７３】
表示機器１は、自機の落下を検出すると、ステップＳ１２に示すように、表示機器１のユーザの連絡先とは異なる連絡先を示す情報を含む画像Ｇ４を表示部２に表示する。異なる連絡先は、例えば、当該ユーザの学校、表示機器１のユーザの保護者、紛失物の預かり所等の連絡先を含む。ステップＳ１２に示す一例では、画像Ｇ４は、学校名２６と学校の住所２７とを示す情報を含む。表示機器１は、自機の落下を検出した場合、自機のユーザの連絡先を表示せずに、ユーザが通う学校の名前と学校の住所を連絡先として表示することができる。その結果、表示機器１は、紛失した場合に、自機のユーザの個人情報を秘匿した状態で、自機を学校等に届けてもらうことを期待できる。
【００７４】
表示機器１は、画像Ｇ４を表示部２に表示している状態でエリア情報を受信した場合、他の画像に表示を切り替えずに、画像Ｇ４の表示を継続してもよい。例えば、表示機器１は、画像Ｇ４の解除操作を検出した場合に、エリアに対応した画像を表示部２に表示することができる。その結果、表示機器１は、他人に拾われた場合に、表示機器１のユーザの個人情報を誤って表示することを防止できる。
【００７５】
図８に示す一例では、表示機器１は、学校外で自機の落下を検出すると、連絡先を示す情報を表示する場合について説明したが、これに限定されない。例えば、表示機器１は、学校外では、自機のユーザの血液型や親の連絡先等を表示してもよい。例えば、表示機器１は、連絡先の情報を、ＱＲコード（登録商標）、バーコード等で表示してもよい。例えば、表示機器１は、自機に対する衝撃を検出すると、事故が発生したと判定し、血液型、病歴等の個人情報を表示してもよい。表示機器１は、自機に対する衝撃を、落下方向とは異なる方向への加速度と移動状態とに着目して検出してもよい。表示機器１は、表示部２に表示した情報を救急隊員の読取端末等に読み取らせることで、事故時にユーザの情報を提供できる。
【００７６】
表示機器１は、学校外で自機の落下を検出すると、前述のＧＰＳ衛星から受信した信号に基づいて検出する自機の位置情報を第１通信装置８０へ送信してもよい。表示機器１は、学校外で自機の落下を検出すると、当該落下時点で表示する画像に対応するエリア情報、あるいはエリア情報に基づく位置情報を第１通信装置８０へ送信してもよい。この場合、表示機器１は、ＧＰＳ測位機能を有さない構成であっても、第１通信装置８０の携帯者へ自機の位置情報を通知することができる。
【００７７】
図９は、表示機器１による制御の他の一例の処理手順を示すフローチャートである。図９に示す処理手順は、表示機器１の制御部１０が制御プログラム９Ａを実行することによって実現される。図９に示す処理手順は、制御部１０によって繰り返し実行される。
【００７８】
図９に示すように、表示機器１の制御部１０は、センサ部１５の検出結果を取得する（ステップＳ２０１）。制御部１０は、取得した検出結果に基づいて、自機が落下したか否かを判定する（ステップＳ２０２）。制御部１０は、例えば、センサ部１５が検出した加速度パターンが上記判定条件を満たす場合に、自機が落下したと判定する。制御部１０は、自機が落下していないと判定した場合（ステップＳ２０２でＮｏ）、図９に示す処理手順を終了させる。
【００７９】
制御部１０は、自機が落下したと判定した場合（ステップＳ２０２でＹｅｓ）、処理をステップＳ２０３に進める。制御部１０は、自機の紛失時の画像Ｇ４を取得する（ステップＳ２０３）。例えば、制御部１０は、記憶部９または予め定められた外部の電子機器から画像Ｇ４を取得する。制御部１０は、取得した画像Ｇ４を表示部２に表示する（ステップＳ２０４）。その結果、表示部２は、表示していた画像Ｇ１の表示を終了し、画像Ｇ４の表示を開始する。制御部１０は、画像Ｇ４を表示させると、図９に示す処理手順を終了させる。
【００８０】
図１０は、表示システム１００における表示機器１の表示切り替えの他の一例を示す図である。図１０のステップＳ２１に示す一例では、表示機器１は、学校内のエリアで、個人情報を示す画像Ｇ２を表示部２に表示している。表示機器１は、学校内のエリアで、食事の時間になっている。
【００８１】
表示機器１は、画像Ｇ２を表示しているときに、自機のユーザの食事の時間またはエリアであることを検出する。例えば、表示機器１は、食堂に設置された外部装置５０からエリア情報を受信した場合に、ユーザの食事のエリアであることを検出する。例えば、表示機器１は、時刻が予め定められた食事の時刻に一致した場合に、ユーザの食事の時間であることを検出する。例えば、表示機器１は、給食のワゴンに装着されている通信機器から電波を受信した場合に、ユーザの食事の時間であることを検出する。
【００８２】
表示機器１は、ユーザの食事の時間を検出すると、ステップＳ２２に示すように、表示機器１のアレルギーに関する情報を示す画像Ｇ５を表示部２に表示する。アレルギーに関する情報は、例えば、ユーザの食べ物のアレルゲンを示す情報を含む。ステップＳ２２に示す一例では、画像Ｇ５は、ユーザが東出たかし、アレルゲンが牛乳・乳製品、鶏卵及びピーナッツであることを示している。
【００８３】
表示機器１は、ユーザの食事の時間を検出した場合、画像Ｇ２からアレルギーを示す画像Ｇ５に表示部２の表示を切り替えることができる。換言すると、表示機器１は、表示部２に表示している個人情報を、時間またはエリアに応じて、異なる個人情報に切り替えることができる。その結果、表示機器１は、食事を提供する側に対して、ユーザのアレルギーを周知させることができる。表示機器１は、エリア情報に応じた情報として、それぞれ時間情報に応じて切り替わる第１情報（画像Ｇ２）と第２情報（画像Ｇ５）と、を表示可能であるものとして特徴付けられてもよい。
【００８４】
表示機器１は、第１条件を満たした場合、表示部２に表示している画像Ｇ５を他の画像に切り替えることができる。第１条件は、例えば、食事のエリアから退場した場合、画像Ｇ５の表示を開始してから一定時間が経過した場合等の条件を含む。
【００８５】
図１１は、表示機器１による制御の他の一例の処理手順を示すフローチャートである。図１１に示す処理手順は、表示機器１の制御部１０が制御プログラム９Ａを実行することによって実現される。図１１に示す処理手順は、制御部１０によって繰り返し実行される。
【００８６】
図１１に示すように、表示機器１の制御部１０は、個人情報を表示中であるか否かを判定する（ステップＳ３０１）。例えば、制御部１０は、個人情報を示す画像Ｇ２を表示部２に表示している場合に、個人情報を表示中であると判定する。制御部１０は、個人情報を表示中ではないと判定した場合（ステップＳ３０１でＮｏ）、図１１に示す処理手順を終了させる。制御部１０は、個人情報を表示中であると判定した場合（ステップＳ３０１でＹｅｓ）、処理をステップＳ３０２に進める。
【００８７】
制御部１０は、食事の時間またはエリアであるか否かを判定する（ステップＳ３０２）。例えば、制御部１０は、現在の時間が予め定められた時間帯である場合、食事の時間であると判定する。例えば、制御部１０は、食堂等のエリア情報を受信した場合、食事のエリアであると判定する。制御部１０は、食事の時間またはエリアではないと判定した場合（ステップＳ３０２でＮｏ）、図１１に示す処理手順を終了させる。
【００８８】
制御部１０は、食事の時間またはエリアであると判定した場合（ステップＳ３０２でＹｅｓ）、処理をステップＳ３０３に進める。制御部１０は、ユーザのアレルギーに関する情報を示す画像Ｇ５を取得する（ステップＳ３０３）。例えば、制御部１０は、記憶部９または予め定められた外部の電子機器から画像Ｇ５を取得する。制御部１０は、取得した画像Ｇ５を表示部２に表示する（ステップＳ３０４）。その結果、表示部２は、表示していた画像Ｇ２の表示を終了し、画像Ｇ５の表示を開始する。制御部１０は、画像Ｇ５を表示させると、図１１に示す処理手順を終了させる。
【００８９】
図１２は、本実施形態に係る表示システム１００の他の動作を示すシーケンス図である。図１２に示す表示機器１の動作は、表示機器１の制御部１０が制御プログラム９Ａを実行することによって実現される。図１２に示す外部装置５０Ａの動作は、外部装置５０Ａの制御部２０２が制御プログラム２０３ａを実行することによって実現される。図１２に示す第１通信装置８０の動作は、第１通信装置８０の制御部１０が制御プログラム９１を実行することによって実現される。
【００９０】
図１２に示すように、学校のエリアＥ１に設けられた外部装置５０Ａは、入場を示すエリア情報を含む電波を送出する（ステップＳ１００１）。
【００９１】
外部装置５０Ａに近づいた表示機器１は、入場を示すエリア情報を外部装置５０Ａから受信する（ステップＳ１００２）。表示機器１は、学校のエリアＥ１に入場したことを示す第１情報を第１通信装置８０に送信する（ステップＳ１００３）。例えば、表示機器１は、外部装置５０Ａから受信したエリア情報に基づいて第１情報を作成し、当該第１情報を第１通信装置８０に送信する。例えば、表示機器１は、第１情報を含む電子メールを作成し、当該電子メールを第１通信装置８０へメールサーバを介して送信してもよい。
【００９２】
第１通信装置８０は、表示機器１から第１情報を受信する（ステップＳ１００４）。第１通信装置８０は、第１情報を表示部２Ａに表示する（ステップＳ１００５）。その結果、第１通信装置８０は、表示機器１のユーザが学校のエリアＥ１に入場したことを、第１通信装置８０のユーザに通知することができる。第１通信装置８０のユーザは、表示機器１のユーザが学校に登校したことを確認できる。
【００９３】
学校のエリアＥ１に設けられた外部装置５０Ａは、退場を示すエリア情報を含む電波を送出する（ステップＳ１０１１）。
【００９４】
学校のエリアＥ１から退場する表示機器１は、退場を示すエリア情報を外部装置５０Ａから受信する（ステップＳ１０１２）。表示機器１は、学校のエリアＥ１から退場したことを示す第２情報を第１通信装置８０に送信する（ステップＳ１０１３）。例えば、表示機器１は、外部装置５０Ａから受信したエリア情報に基づいて第２情報を作成し、当該第２情報を第１通信装置８０に送信する。例えば、表示機器１は、第２情報を含む電子メールを作成し、当該電子メールを第１通信装置８０へメールサーバを介して送信してもよい。
【００９５】
第１通信装置８０は、表示機器１から第２情報を受信する（ステップＳ１０１４）。第１通信装置８０は、第２情報を表示部２Ａに表示する（ステップＳ１０１５）。その結果、第１通信装置８０は、表示機器１のユーザが学校のエリアＥ１に退場したことを、第１通信装置８０のユーザに通知することができる。第１通信装置８０のユーザは、表示機器１のユーザが学校から下校していることを確認できる。
【００９６】
なお、外部装置５０Ａは、ステップＳ１００１において、入場情報を含まないエリア情報を送出してもよい。例えば、外部装置５０Ａは、ステップＳ１００１において、外部装置５０Ａが設けられたエリアを識別可能な情報をエリア情報として送出してよい。この場合、表示機器１は、ステップＳ１００３において、外部装置５０Ａが設けられたエリアを識別可能な情報を受信したことをもってして、学校のエリアＥ１に入場したことを示す第１情報を第１通信装置８０に送信してよい。あるいは、表示機器１は、ステップＳ１００３において、外部装置５０Ａが設けられたエリアを識別可能な情報を受信した旨の情報を第１通信装置８０に送信してよい。
【００９７】
また、外部装置５０Ａは、ステップＳ１０１１において、退場情報を含まないエリア情報を送出してもよい。例えば、外部装置５０Ａは、ステップＳ１０１１において、外部装置５０Ａが設けられたエリアを識別可能な情報をエリア情報として送出してよい。この場合、表示機器１は、ステップＳ１０１２において、ステップＳ１００２で受信したエリア情報と同等のエリア情報を受信し得る。表示機器１は、既に受信した、あるいは、一つ前のタイミングで受信したエリア情報と同等のエリア情報を受信した場合には、当該受信した旨の情報を第１通信装置８０に送信しなくてもよい。代わりに、表示機器１は、外部装置５０Ａとは異なる外部装置からエリア情報を受信した場合に、当該受信した旨の情報を第１通信装置８０に送信してもよい。あるいは、表示機器１は、外部装置５０Ａから受信したエリア情報に示されるエリアとは異なるエリアが示されたエリア情報を受信した場合に、当該受信した旨の情報を第１通信装置８０に送信してもよい。
【００９８】
図１３は、本実施形態に係る表示システム１００の他の動作を示すシーケンス図である。図１３に示す表示機器１の動作は、表示機器１の制御部１０が制御プログラム９Ａを実行することによって実現される。図１３に示す外部装置５０Ａの動作は、外部装置５０Ａの制御部２０２が制御プログラム２０３ａを実行することによって実現される。図１３に示す第１通信装置８０の動作は、第１通信装置８０の制御部１０が制御プログラム９１を実行することによって実現される。
【００９９】
図１３に示す一例では、ステップＳ１０１１からステップＳ１０１５は、既に説明した図１２に示すステップＳ１０１１からステップＳ１０１５と同一であるため、異なる部分のみを説明し、同一部分の説明は省略する。
【０１００】
外部装置５０Ｃは、学校外のエリアＥ３に設けられている。外部装置５０Ｃは、エリア情報を含む電波を送出する（Ｓ１１０１）。当該エリア情報は、例えば、外部装置５０Ｃが設けられたエリアの情報を含む。
【０１０１】
表示機器１は、ステップＳ１０１３で第２情報を第１通信装置８０に送信した後、ユーザの帰宅ルートを移動している。表示機器１は、帰宅ルートに設けられた外部装置５０Ｃに近づくと、エリア情報を外部装置５０Ｃから受信する（ステップＳ１１０２）。表示機器１は、エリア情報を受信すると、第１通信装置８０への通知を外部装置５０Ｃに要求する（ステップＳ１１０３）。例えば、表示機器１は、近距離無線通信によって通知要求を外部装置５０Ｃに送信する。通知要求は、例えば、第１通信装置８０の連絡先、表示機器１の識別情報等を含む。
【０１０２】
外部装置５０Ｃは、表示機器１が送信した第１通信装置８０への通知要求を受信する（ステップＳ１１０４）。外部装置５０Ｃは、表示機器１の通過を示す第３情報を第１通信装置８０へ送信する（ステップＳ１１０５）。例えば、外部装置５０Ｃは、通知要求を受信した時刻である通過時刻と、表示機器１の識別情報と、外部装置５０Ｃが設置された位置情報とを含む第３情報を作成する。外部装置５０Ｃは、作成した第３情報を、通信部２０１を介して第１通信装置８０に送信する。例えば、外部装置５０Ｃは、第３情報を含む電子メールを作成し、当該電子メールを第１通信装置８０へメールサーバを介して送信してもよい。
【０１０３】
第１通信装置８０は、外部装置５０Ｃから第３情報を受信する（ステップＳ１１０６）。第１通信装置８０は、第３情報を表示部２Ａに表示する（ステップＳ１１０７）。その結果、第１通信装置８０は、表示機器１のユーザが学校のエリアＥ１から退場した後、帰宅ルートの外部装置５０Ｃの位置を通過したことを通知することができる。第１通信装置８０のユーザは、表示機器１のユーザが学校からの帰宅ルートのどこを移動しているかを確認できる。第１通信装置８０は、第３情報を受信した複数の外部装置５０Ｃの位置情報を地図上にプロットすることで、表示機器１のユーザが実際に帰宅している帰宅ルートを確認させることができる。表示機器１は、第３情報を外部装置５０Ｃから第１通信装置８０に通知させることで、処理負担が軽減され、省電力化を図ることができる。
【０１０４】
図１４は、本実施形態に係る表示システム１００の他の動作を示すシーケンス図である。図１４に示す表示機器１の動作は、表示機器１の制御部１０が制御プログラム９Ａを実行することによって実現される。図１４に示す外部装置５０Ａの動作は、外部装置５０Ａの制御部２０２が制御プログラム２０３ａを実行することによって実現される。図１４に示す第１通信装置８０の動作は、第１通信装置８０の制御部１０が制御プログラム９１を実行することによって実現される。
【０１０５】
図１４に示す一例では、ステップＳ１０１１からステップＳ１０１２は、既に説明した図１２に示すステップＳ１０１１からステップＳ１０１２と同一である。
【０１０６】
学校のエリアＥ１に設けられた外部装置５０Ａは、退場を示すエリア情報を含む電波を送出する（ステップＳ１０１１）。
【０１０７】
学校のエリアＥ１から退場する表示機器１は、退場を示すエリア情報を外部装置５０Ａから受信する（ステップＳ１０１２）。表示機器１は、受信したエリア情報に対応した画像Ｇ１を表示部２に表示する（ステップＳ１２００）。表示機器１は、個人情報を非個人情報に切り替えて表示すると、学校のエリアＥ１から退場したことを示す第２情報の第１通信装置８０への通知を、外部装置５０Ａに要求する（ステップＳ１２０１）。例えば、表示機器１は、近距離無線通信によって通知要求を外部装置５０Ａに送信する。通知要求は、例えば、第１通信装置８０の連絡先、表示機器１の識別情報、第２情報等を含む。
【０１０８】
外部装置５０Ａは、表示機器１が送信した第１通信装置８０への通知要求を受信する（ステップＳ１２０２）。外部装置５０Ａは、第２情報を第１通信装置８０へ送信する（ステップＳ１２０３）。例えば、外部装置５０Ａは、通知要求に基づいて、表示機器１から受信した第２情報を、通信部２０１を介して第１通信装置８０に送信する。例えば、外部装置５０Ａは、第２情報を含む電子メールを作成し、当該電子メールを第１通信装置８０へメールサーバを介して送信してもよい。
【０１０９】
第１通信装置８０は、外部装置５０Ａから第２情報を受信する（ステップＳ１２０４）。第１通信装置８０は、第２情報を表示部２Ａに表示する（ステップＳ１２０５）。その結果、第１通信装置８０は、表示機器１のユーザが学校のエリアＥ１から退場したことを、外部装置５０Ａからの受信に応じて第１通信装置８０のユーザに通知することができる。第１通信装置８０のユーザは、表示機器１のユーザが学校から下校していることを確認できる。表示機器１は、第２情報を外部装置５０Ａから第１通信装置８０に通知させることで、処理負担が軽減され、省電力化を図ることができる。表示機器１は、近距離無線通信の機能があればよいため、構成を簡単化することができる。
【０１１０】
上記の表示機器１は、学校のエリアＥ１の外部装置５０Ａから、表示機器１のユーザに関する連絡事項等の情報を含むエリア情報を受信した場合、そのエリア情報が示す情報を表示部２に表示させてもよい。その場合、表示機器１は、少なくともユーザが帰宅している間は、表示部２の表示内容を維持することで、ユーザの保護者に表示内容を確認させることができる。
【０１１１】
上記の表示機器１は、特定の通信機器との通信が可能となった場合、表示部２の表示を切り替えたり、通知をしたりしてもよい。特定の通信機器は、例えば、表示機器１が過去に通信を行った通信機器、クレードルに接続された通信機器等を含む。特定の通信機器との通信が可能となるとは、例えば、Ｂｌｕｅｔｏｏｔｈ（登録商標）接続されることを含む。例えば、表示機器１のユーザが帰り道の親族の家に近づき、特定の通信機器と通信が可能となる場合がある。その場合、表示機器１は、親族の家に近づいた場合の伝言を通知してもよい。伝言は、例えば、「様子をみてきてね」等を含む。例えば、表示機器１のユーザに親が近くにいると、当該親の第１通信装置８０と通信が可能となる場合がある。その場合、表示機器１は、親が近くにいることを通知してもよい。
【０１１２】
表示機器１は、センサ部１５として前述のもの以外に、例えば照度センサを備えていてもよい。表示機器１は、外部装置５０からエリア情報を受信した場合、照度センサの検出結果から自機の周囲の明るさが所定値よりも暗いと判定すると、エリア情報に基づく画像を表示するとともに、ユーザに対して音や振動で報知してもよい。表示機器１がバッグやポケットの中に在る状態で画像が切り替わったときに、画像がユーザの外部に対して視えるように装着をユーザに対して促すことができる。
【０１１３】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１１４】
１  表示機器
２，２Ａ  表示部
３  操作部
６  通信部
７  レシーバ
８  マイク
９  記憶部
９Ａ  制御プログラム
９Ｂ  画像データ
９Ｃ  設定データ
１０  制御部
１１  スピーカ
１５  センサ部
５０Ａ，５０Ｂ，５０Ｃ  外部装置
８０  第１通信装置
２０１  通信部
２０２  制御部
２０３  記憶部
２０３ａ  制御プログラム
２０３ｂ  設定データ
【図１】
2019132955.tif 000003
【図２】
2019132955.tif 000004
【図３】
2019132955.tif 000005
【図４】
2019132955.tif 000006
【図５】
2019132955.tif 000007
【図６】
2019132955.tif 000008
【図７】
2019132955.tif 000009
【図８】
2019132955.tif 000010
【図９】
2019132955.tif 000011
【図１０】
2019132955.tif 000012
【図１１】
2019132955.tif 000013
【図１２】
2019132955.tif 000014
【図１３】
2019132955.tif 000015
【図１４】
2019132955.tif 000016